(57)【特許請求の範囲】
【請求項１】
結束機本体と、
前記結束機本体に回動可能に取り付けられ、前記結束機本体からテープを引き出すと共に当該テープにより架け回された被結束物を結束処理するクリンチャアームと、
前記結束機本体に取り付けられ、前記クリンチャアームの回動に伴ってステープルを打ち出すマガジン部と、を備え、
前記マガジン部は、
一対の側壁部を有し、上面側が開口された細長の箱体で構成されるマガジン本体部と、
前記ステープルが装填されるマガジン本体部と、
前記マガジン本体部の上面部にスライド可能に取り付けられるカバー部材と、
前記カバー部材に取り付けられ、前記マガジン本体部に装填される前記ステープルを押圧するプッシャユニットと、を有し、
前記マガジン本体部の上面部には、前方側から、前記プッシャユニットにより押圧される前記ステープルを射出する射出口と、前記側壁部の上縁端から内側に突出した突出片と、前記ステープルを装填する装填口とがそれぞれ並んで設けられる
ことを特徴とする園芸用結束機。
【請求項２】
前記マガジン部は、
前記マガジン本体部に取り付けられる被ロック部と、
前記カバー部材の後端部に設けられ、前記被ロック部に係合することで前記プッシャユニットを前記マガジン本体部にロックするロック部と、
を有することを特徴とする請求項１に記載の園芸用結束機。
【請求項３】
前記ロック部は、弾性部材からなり、押圧操作に応じて弾性変形することで前記被ロック部に対する係合を解除する
ことを特徴とする請求項２に記載の園芸用結束機。
【発明の詳細な説明】
【技術分野】
【０００１】
本発明は、園芸用結束機に関する。
【背景技術】
【０００２】
従来から、果樹や野菜等の枝やつるを支柱に結束したり、野菜同士や袋同士を束ねたりする際に園芸用結束機が広く利用されている。園芸用結束機では、クリンチャアームの開閉動作によりテープを結束機本体から引き出してクリンチャアームと結束機本体との先端部間にテープを張った状態とし、この状態で結束機本体を前方に押し出して被結束物をテープにより掛け回した後、クリンチャアームを再度閉じることでテープをステープルにより綴じると共に切断刃によりテープを切断する、という一連の工程により結束処理を行っている。
【０００３】
この種の園芸用結束機においては、マガジンの後部に設けられたステープル挿入口からステープルをマガジンに装填し、そのステープルの後方からプッシャユニットを押し込むことで射出口にステープルを供給する構造となっている。ところが、ステープルを補充等するためにプッシャユニットをマガジンから取り外す場合には、プッシャユニットとマガジンとが別体で構成されているので、プッシャのばね力でプッシャユニットがマガジンから飛び出してしまう場合がある。このような場合、畑等の作業場では、プッシャユニットが野菜の枝等に紛れてしまい、プッシャユニットを紛失してしまう場合があった。
【０００４】
そこで、特許文献１には、プッシャユニットをマガジンに一体に構成した園芸用結束機が提案されている。具体的には、ステープル充填部（マガジンに相当）のガイド部にピンを設け、ステープルの装填時においてステープル押圧具（プッシャユニットに相当）をガイド部から引き出す際に、ステープル押圧具をピンに接触させることでステープル充填部からステープル押圧具が外れることを防止するようにしたテープ結束機が記載されている。
【先行技術文献】
【特許文献】
【０００５】
【特許文献１】特開平６−１８３４１２号公報
【発明の概要】
【発明が解決しようとする課題】
【０００６】
しかしながら、特許文献１に記載の園芸用結束機等では以下のような問題がある。すなわち、従来の園芸用結束機では、ステープルの射出口を、プッシャユニットを構成するカバー部材と、マガジンとの２部品で形成している場合が多い。図１２は、従来の一般的なステープルの射出口２４０の構成の一例を示している。図１２に示すように、射出口２４０は、プッシャユニット２１０を構成するカバー部材２３０の先端部２３０ａと、マガジン２００の先端部２００ａ，２００ｂとの２部品により構成されている。このような場合、例えばカバー部材２３０の摩耗によりガタ等が生じると、これに伴って射出口２４０の寸法が変化してしまい、ステープル詰まりやステープルの二本打ち等の不具合が発生し易いという問題がある。
【０００７】
そこで、本発明は、上記課題に鑑みてなされたものであり、ステープルマガジンの射出口の変化を防止することが可能な園芸用結束機を提供することにある。
【課題を解決するための手段】
【０００８】
本発明に係る園芸用結束機は、結束機本体と、前記結束機本体に回動可能に取り付けられ、前記結束機本体からテープを引き出すと共に当該テープにより架け回された被結束物を結束処理するクリンチャアームと、前記結束機本体に取り付けられ、前記クリンチャアームの回動に伴ってステープルを打ち出すマガジン部と、を備え、前記マガジン部は、一対の側壁部を有し、上面側が開口された細長の箱体で構成されるマガジン本体部と、前記ステープルが装填されるマガジン本体部と、前記マガジン本体部の上面部にスライド可能に取り付けられるカバー部材と、前記カバー部材に取り付けられ、前記マガジン本体部に装填される前記ステープルを押圧するプッシャユニットと、を有し、前記マガジン本体部の上面部には、前方側から、前記プッシャユニットにより押圧される前記ステープルを射出する射出口と、前記側壁部の上縁端から内側に突出した突出片と、前記ステープルを装填する装填口とがそれぞれ並んで設けられるものである。
【０００９】
前記マガジン部は、前記マガジン本体部に取り付けられる被ロック部と、前記カバー部材の後端部に設けられ、前記被ロック部に係合することで前記プッシャユニットを前記マガジン本体部にロックするロック部と、を有するものである。
【００１０】
前記ロック部は、弾性部材からなり、押圧操作に応じて弾性変形することで前記被ロック部に対する係合を解除するものである。
【発明の効果】
【００１１】
本発明によれば、射出口と装填口とをそれぞれ独立して設けているので、射出口の寸法が他の部品の磨耗等に影響してばらつくことを防止できる。
【図面の簡単な説明】
【００１２】
【図１】本発明の一実施の形態に係る園芸用結束機の構成例を示す斜視図である。
【図２】園芸用結束機の構成例を示す正面図である。
【図３】園芸用結束機の構成例を示す断面図である。
【図４】園芸用結束機のテープ引き出し時の状態を示す断面図である。
【図５】園芸用結束機のテープ切断時の状態を示す断面図である。
【図６】ステープルマガジン部の構成例を示す図である。
【図７】ステープルを装填する際のステープルマガジン部の動作例を示す図である（その１）。
【図８】ステープルを装填する際のステープルマガジン部の動作例を示す図である（その２）。
【図９】ドライバの変形例の構成等を示す図である（その１）。
【図１０】従来におけるドライバの構成例等を示す図である。
【図１１】ドライバの変形例の構成を示す図である（その２）。
【図１２】従来の射出口を備えたステープルマガジン部の構成例を示す図である。
【発明を実施するための形態】
【００１３】
以下に添付図面を参照しながら、本発明の好適な実施の形態について詳細に説明する。
【００１４】
［園芸用結束機１００の構成例］  
図１は第１の実施の形態に係る園芸用結束機１００の構成の一例を示す斜視図であり、図２はその正面図であり、図３はその断面図である。図１〜図３において、紙面の右側を園芸用結束機１００の前側とし、紙面の左側を園芸用結束機１００の後側とする。
【００１５】
図１〜図３に示すように、手持ち工具としての園芸用結束機１００は、クリンチャアーム１０と、結束機本体４０と、ハンドル１２と、テープ引き出し部２０と、テープ搬送部４２と、テープ切断部５０と、ステープルマガジン部６０と、テープマガジン部８０とを備えている。
【００１６】
クリンチャアーム１０は、その後端部が結束機本体４０に回動可能に取り付けられると共に、引っ張りばね１６により後方側に付勢されている。ハンドル１２は、ユーザーが把持する部位であり、その略中間部がクリンチャアーム１０に回動可能に取り付けられ、その前端部が結束機本体４０に回動可能に取り付けられている。このような構成により、ハンドル１２の開閉動作に伴い、ハンドル１２の梃子の原理によりクリンチャアーム１０が結束機本体４０に対して相対的に開閉動作するようになっている。
【００１７】
テープ引き出し部２０は、結束機本体４０からテープＴＰを引き出すための機構であり、クリンチャアーム１０の先端部に設けられている。テープ引き出し部２０は、ロックプレート２２と、テープキャッチ２４と、テーププレート２６とを有している。
【００１８】
ロックプレート２２は、一端側に設けられた軸部２２ａを支点として回動可能に構成されると共に、他端側がコイルばね２３によりテープキャッチ２４側に付勢されている。ロックプレート２２は、コイルばね２３の付勢により、テープキャッチ２４に係合することでテープキャッチ２４をロックし、テープキャッチ２４をテーププレート２６から離間した位置で固定する。
【００１９】
テープキャッチ２４は、軸部２４ａを支点として回動可能に設けられると共に、ねじりコイルばね２５によりテーププレート２６側に付勢されている。テープキャッチ２４は、テープの引き出し時にロックプレート２２によるロックが解除されると、ねじりコイルばね２５の付勢により、先細り形状をなす先端部２４ｂがテーププレート２６側に移動する。
【００２０】
テーププレート２６は、テープキャッチ２４に対向するように配設され、その先端部がロックプレート２２から結束機本体４０側に延出している。テーププレート２６は、延出した部位とテープキャッチ２４とでテープＴＰを挟持し、クリンチャアーム１０の戻り（開）動作に伴ってテープＴＰをテープガイド４６から上方側に引き出す。
【００２１】
テープ搬送部４２は、テープホルダ４４と、テープガイド４６とを有している。テープホルダ４４は、テープマガジン部８０からテープガイド４６までテープを搬送するための経路であり、結束機本体４０の長手方向に沿って敷設されている。また、テープホルダ４４は、長手方向の一辺側を支点として開閉可能に構成され、テープＴＰのセット作業が容易に行えるようになっている。テープガイド４６は、結束機本体４０（テープホルダ４４）の前端部に回動可能に設けられ、テープＴＰの先端部をテープガイド４６から上方側に引き出した状態で保持する。
【００２２】
テープ切断部５０は、テープＴＰを切断する切断刃５１と、切断刃５１をロックおよびロック解除するためのロック機構５２とを有している。切断刃５１は、ロック機構５２によりテープガイド４６の所定位置に固定されると共に、ロック機構５２の解除によりテープガイド４６から引き抜くことができるようになっている。
【００２３】
ステープルマガジン部６０は、結束機本体４０の上面側に取り付けられ、接着連結されたステープルが装填される。ステープルマガジン部６０は、クリンチャアーム１０の閉じ動作によりステープルを打ち出してテープＴＰの重なり部分を綴じ処理する。なお、ステープルマガジン部６０の構成や機能については後述する。
【００２４】
テープマガジン部８０は、結束機本体４０の後端部に取り付けられ、テープＴＰが巻き回されたテープロールを収容する。テープマガジン部８０は、クリンチャアーム１０の開閉動作に基づくテープＴＰの引き出し動作により正回転し、テープＴＰをテープ搬送部４２に送り出す。
【００２５】
［園芸用結束機１００の動作例］  
次に、本発明に係る園芸用結束機１００の結束処理時における動作の一例について参照して説明する。図４は、園芸用結束機１００におけるテープＴＰの引き出し時の状態を示す断面図である。図５は、園芸用結束機１００におけるテープＴＰの切断時の状態を示す断面図である。
【００２６】
図１〜図５を参照すると、ユーザーによりハンドル１２が握り込まれると、クリンチャアーム１０が結束機本体４０に接近する方向に移動（降下）する。これにより、ロックプレート２２が結束機本体４０側のテープガイド４６に当接してロックプレート２２が押し上げられることで、ロックプレート２２によるテープキャッチ２４のロックが解除される。
【００２７】
テープキャッチ２４のロックが解除されると、テープキャッチ２４がテーププレート２６側に回動し、テープＴＰがテープキャッチ２４の先端部２４ｂによりテープガイド４６に押し付けられる。
【００２８】
続けて、ユーザーによりハンドル１２の握りが解除されると、クリンチャアーム１０が結束機本体４０から離れる方向に移動（上昇）する。これに伴い、図４に示すように、テープキャッチ２４がテープガイド４６からテーププレート２６に乗り移り、テーププレート２６とテープキャッチ２４とでテープＴＰが挟持された状態でテープガイド４６から上方側に引き出される。また、クリンチャアーム１０の上昇に伴い、ロックプレート２２とテープキャッチ２４とが係合状態とされる。
【００２９】
続けて、結束機本体４０の前方に押し出しにより野菜等の枝や支柱（以下、枝および支柱をまとめて結束物３００という）にテープＴＰが押し付けられてクリンチャアーム１０内に結束物３００が取り込まれる。
【００３０】
続けて、ユーザーによりハンドル１２が再度強く握られると、クリンチャアーム１０が結束機本体４０に接近する方向に移動（降下）し、結束物３００にテープＴＰが掛け回される。
【００３１】
クリンチャアーム１０の降下に伴い、テープガイド４６がテープキャッチ２４の対向する傾斜面に沿って移動していき、移動が規制される位置まで到達すると、テープキャッチ２４がテーププレート２６から離れる方向（前部側）に回動する。これに伴い、テープガイド４６も前部側に回動する。
【００３２】
テープガイド４６の回動に伴い、図５に示すように、切断刃５１も回動してその先端側に設けられた刃がテープＴＰに突き刺さることによりテープＴＰが切断される。また、クリンチャ３０がステープルマガジン本体６２を押圧し、ステープルマガジン本体６２が後端部を支点として傾動することで、ドライバ７８により射出口からステープルが打ち出され、テープＴＰの重なり部分がステープルによって綴じられる。本実施の形態では、このような一連の工程により、結束物３００の結束作業が行われる。
【００３３】
［ステープルマガジン部６０の構成例］  
図６（Ａ）はステープルマガジン部６０の構成の一例を示す斜視図であり、図６（Ｂ）はその側面図である。図６（Ａ）および図６（Ｂ）に示すように、ステープルマガジン部６０は、ステープルマガジン本体６２と、プッシャユニット６４とを有している。
【００３４】
ステープルマガジン本体６２は、上面側が開口された細長の箱体であって、結束機本体４０の上面部に取り付けられている。ステープルマガジン本体６２の前端部には、ステープルを射出するための射出口６２ａが設けられている。射出口６２ａは、ステープルマガジン本体６２の側壁部６２ｃ，６２ｃの前端から内側に折り曲げられた折り曲げ片６２ｂ，６２ｂと、折り曲げ片６２ｂ，６２ｂよりも若干後方の側壁部６２ｃ，６２ｃの上端縁から内側に突出した突出片６２ｄ，６２ｄとで区画される空間部により構成される。つまり、本実施の形態において射出口６２ａは、ステープルマガジン本体６２の１部品のみで構成される。
【００３５】
また、ステープルマガジン本体６２の側壁部６２ｃ，６２ｃの後端部のそれぞれには、ロック部材１４，１４が取り付けられている。ロック部材１４，１４のプッシャユニット６４側には、略Ｖ字状からなるロック溝１４ａ，１４ａが形成されている。なお、ロック部材１４，１４およびロック溝１４ａ，１４ａは、被ロック部の一例に相当している。
【００３６】
プッシャユニット６４は、カバー部材６６と、プッシャガイド６８と、コイルばね７０と、つまみ７２と、プッシャ７４（図３参照）とを有している。
【００３７】
カバー部材６６は、ステープルマガジン本体６２の上面部を覆う細長の矩形状からなるカバー部材本体６６ｃと、カバー部材本体６６ｃの側部前端のそれぞれから下方側に延びる係合片６６ａ，６６ａとを有している。係合片６６ａ，６６ａは、ステープルマガジン本体６２の側壁部６２ｃ，６２ｃにスライド可能に嵌め込まれている。これにより、カバー部材６６は、側壁部６２ｃ，６２ｃをレールとしてステープルマガジン本体６２の長手方向に沿ってスライドし、ステープルマガジン本体６２の上面部を開閉する。本実施の形態においてカバー部材６６が開いた状態におけるステープルマガジン本体６２の上面側の開口は、ステープルを装填するための装填口６２ｅとなる。このように、ステープルマガジン本体６２の上面部には、前方側から射出口６２ａと装填口６２ｅとが並んで設けられる。
【００３８】
カバー部材６６には、カバー部材６６を後方にスライドさせる際に抜け落ちないようにするためのストッパ６６ｂ，６６ｂが設けられている。ストッパ６６ｂ，６６ｂは、カバー部材本体６６ｃの側部から若干外側に延出した部位であり、ロック部材１４，１４よりも若干外側に位置して設けられている。これにより、カバー部材６６を後方側にスライドさせたときにストッパ６６ｂ，６６ｂがロック部材１４，１４の前端縁によって係止される。
【００３９】
プッシャガイド６８は、ステープルマガジン本体６２の長手方向の長さと略同一の長さを有する棒状部材であって、カバー部材６６の後端部に取り付け（組み付け）られている。コイルばね７０は、プッシャ７４を弾性的に支持するものであり、その前端部がプッシャ７４に取り付けられると共にその後端部がカバー部材６６の後端部に取り付けられている。コイルばね７０の内側には、プッシャガイド６８が挿通される。
【００４０】
つまみ７２は、山型部７２ａを有すると共に弾性変形可能な弾性部材からなり、その前端部がカバー部材６６の後端縁に一体的に取り付けられている。つまみ７２は、その山型部７２ａがロック部材１４のロック溝１４ａに引っ掛かり（係合し）、プッシャユニット６４をステープルマガジン本体６２にロックする。このとき、山型部７２ａの傾斜面とロック溝１４ａの傾斜面とが当接するので、弾性部材の付勢力によって、山型部７２ａをロック溝１４ａに押し付ける荷重がかかった場合に、その荷重がカバー部材６６の閉じる方向（前方）に作用し、カバー部材６６をステープルマガジン本体６２に強固にロックできる。一方、つまみ７２は、ステープルの装填時において、弾性変形により後端側が押し下げられ、山型部７２ａがロック部材１４のロック溝１４ａから外されることで、プッシャユニット６４のステープルマガジン本体６２に対するロックを解除する。なお、つまみ７２および山型部７２ａは、ロック部の一例に相当している。
【００４１】
プッシャ７４は、略直方体状からなり、コイルばね７０の先端部に取り付けられると共に、その中心部にプッシャガイド６８が挿通される貫通孔を有している。プッシャ７４は、カバー部材６６のスライドに伴って移動し、ステープルマガジン本体６２内に装填されるステープルを射出口６２ａまで押圧する。
【００４２】
［ステープルマガジン部６０の動作例］  
図７（Ａ）〜図７（Ｃ）はステープルを装填する際のステープルマガジン部６０の動作の一例を示す斜視図であり、図８（Ａ）〜図８（Ｃ）はその側面図である。なお、図７および図８において、紙面の右側を園芸用結束機１００の前側とし、紙面の左側を園芸用結束機１００の後側とする。
【００４３】
例えば、野菜等の枝を支柱に結束する作業を行う場合には、図７（Ａ）および図８（Ａ）に示すように、カバー部材６６の山型部７２ａがロック部材１４のロック溝１４ａに係合することで、カバー部材６６がステープルマガジン本体６２にロックされ、ステープルマガジン本体６２の上面部がカバー部材６６によって閉じた状態とされる。
【００４４】
次に、図７（Ｂ）および図８（Ｂ）に示すように、ステープルの装填を行う際において、ユーザーによりつまみ７２が下方に押し下げられると、カバー部材６６の山型部７２ａのロック部材１４のロック溝１４ａに対する係合が解除され、カバー部材６６が後方側にスライドして引き出される。このとき、カバー部材６６のストッパ６６ｂ，６６ｂがロック部材１４，１４に引っ掛かるので、カバー部材６６がステープルマガジン本体６２から抜けることはない。カバー部材６６の後方への引き出しにより、ステープルマガジン本体６２の上面部が開口する。
【００４５】
次に、図７（Ｃ）および図８（Ｃ）に示すように、ステープルマガジン本体６２の上面部の装填口６２ｅからステープルマガジン本体６２内にステープル２が装填される。続けて、プッシャユニット６４を前進させることで、ステープル２が押圧されて射出口６２ａまで移動する。これに伴い、カバー部材６６も前進するので、ステープルマガジン本体６２の上面部がカバー部材６６によって被覆されて装填口６２ｅが閉じた状態とされる。本実施の形態では、このような一連の動作により、ステープルマガジン本体６２へのステープル２の装填作業が行われる。
【００４６】
［ドライバ７８の変形例について］  
ところで、従来の園芸用結束機では、結束作業時の操作荷重が高いため、操作時に手が疲れやすく、特に女性等の握力の低いユーザーでは長時間の結束作業が大きな負担になってしまうという問題があった。本発明者らは、この問題を検討した結果、園芸用結束機の操作荷重において、接着連結されたステープルの分離時のせん断荷重や、ステープルの曲げ荷重に原因があることを知見した。
【００４７】
そこで、本発明者らは、上述した問題の解決手段の一つとして、押し出すドライバのステープルとの接触面等の形状を工夫することにより、園芸用結束機の操作荷重を軽減することができることを見出した。以下に、上述した問題の解決手段について詳しく説明する。
【００４８】
図９（Ａ）は本実施の形態に係るドライバ７８Ａの構成の一例を示し、図９（Ｂ）は本実施の形態に係るドライバ７８Ａを使用した場合における連結されたステープル２の分離時のせん断荷重を示すグラフである。なお、図９（Ｂ）において、縦軸は荷重であり、横軸はストロークである。
【００４９】
図９（Ａ）に示すように、ドライバ７８Ａにおけるステープル２との接触面７８ａは、一端部７８ｂから他端部７８ｃに向かって傾斜するように構成されている。水平面７８ｓと接触面７８ａとのなす角度θは、例えば１°≦θ≦５°の範囲が好ましい。本実施の形態では、角度θを３°とした場合の例を示している。
【００５０】
このような接触面７８ａを有するドライバ７８Ａにより連結されたステープル２の分離を行った場合、まず、ドライバ７８Ａの一端部７８ｂ側によりステープル２のクラウン部２ａの一端部が押圧され、続けてステープル２のクラウン部２ａの中央部が押圧され、最後にドライバ７８Ａの他端部７８ｃによりステープル２のクラウン部２ａの他端部が押圧される。つまり、ステープル２が片足ずつせん断される。その結果、図９（Ｂ）に示すように、ステープル２のせん断荷重のピークを２回に分散することができ、２回のピーク値の絶対値Ｐ１，Ｐ２を低く抑えることができる。
【００５１】
図１０（Ａ）は従来におけるドライバ７８０の構成の一例を示し、図１０（Ｂ）は従来におけるドライバ７８０を使用した場合における連結されたステープル２の分離時のせん断荷重を示すグラフである。なお、図１０（Ｂ）において、縦軸は荷重であり、横軸はストロークである。
【００５２】
図１０（Ａ）に示すように、ドライバ７８０におけるステープル２のクラウン部２ａとの接触面７８０ａは、平坦面で構成されている。この場合、ドライバ７８０の接触面７８０ａ全体が同時にステープル２のクラウン部２ａを押圧することになる。その結果、図１０（Ｂ）に示すように、１度の押圧によりステープル２をせん断するので、せん断荷重のピークが１回となり、本実施の形態のドライバ７８Ａと比べてピーク値の絶対値Ｐ３も大きくなってしまう。
【００５３】
なお、ドライバ７８Ａの接触面７８ａは、上述した傾斜面形状に限定されることはない。図１１（Ａ）は変形例としてのドライバ７８Ｂの構成の一例を示し、図１１（Ｂ）は変形例としてのドライバ７８Ｃの構成の一例を示している。
【００５４】
図１１（Ａ）に示すように、ドライバ７８Ｂは、接触面７８ａの一端側に他の面よりも突出した突出部７８ｄを有し、突出部７８ｄ以外の面を平坦面により構成している。この場合でも、ドライバ７８Ｂの一端側の突出部７８ｄによりステープル２の一端側が押圧された後に、ドライバ７８Ｂの他の部分でステープル２の中央部や他端部が押圧されるので、ステープル２を片足ずつせん断できる。これにより、連結されたステープルの分離時におけるせん断荷重を分散させることができる。
【００５５】
また、図１１（Ｂ）に示すように、ドライバ７８Ｃは、接触面７８ａの一端側および他端側のそれぞれに、他の面よりも突出した突出部７８ｅ，７８ｆを有している。また、突出部７８ｅ，７８ｆ間は、平坦面で構成している。この場合でも、ドライバ７８Ｃの一端側および他端側の突出部７８ｅ，７８ｆによりステープル２の両端が押圧された後に、ドライバ７８Ｃの中央部によりステープル２の中央部が押圧される。これによっても、連結されたステープル２の分離時におけるせん断荷重を分散させることができる。
【００５６】
また、上述した実施の形態では、ステープル２の分離時におけるせん断荷重を分散させるために、ドライバ７８Ａ、７８Ｂ，７８Ｃの各接触面７８ａの形状を異ならせるようにしたが、これに限定されることはない。例えば、射出口６２ａを構成する突出片６２ｄ，６２ｄ（図６参照）の設置高さを互いに異ならせるようにしても良い。これにより、接着連結される２番目以降のステープル２が設置高さを異ならせた突出片６２ｄ，６２ｄに支持されるので、最前端のステープル２もこれに応じて傾いて押圧される。そのため、ドライバ７８の接触面７８ａが従来のように平坦面であっても、最前端のステープル２を片足ずつせん断して射出口６２ａから打ち出すことができる。
【００５７】
以上説明したように、本実施の形態によれば、射出口６２ａをステープルマガジン本体６２を構成する部品のみ（１部品）で構成するので、射出口６２ａの寸法が変化してしまうことを防止できる。つまり、射出口６２ａを２部品で構成した場合のように、他部品の磨耗によるガタ等の影響を受けないので、射出口６２ａの寸法のばらつきを防止できる。これにより、射出口６２ａでのステープルの詰まりや、２本打ち等の問題を回避することができる。
【００５８】
また、本実施の形態によれば、カバー部材６６に板ばねとして機能するつまみ７２を設け、つまみ７２の押し下げ動作等により、カバー部材６６のステープルマガジン本体６２への取り外しや装着をできるように構成したので、カバー部材６６の操作性の向上を図ることができる。これにより、カバー部材６６の開閉操作を行う際のユーザーの負担を軽減させることができる。また、簡単な操作で確実にカバー部材６６をステープルマガジン本体６２に強固にロックできるので、打込みを安定させることができる。
【００５９】
また、本実施の形態によれば、プッシャユニット６４をステープルマガジン本体６２に固定する構造としたので、プッシャユニット６４を引き操作（開き操作）した場合でもステープルマガジン本体６２からプッシャユニット６４が抜け落ちを確実に防止できる。これにより、プッシャユニット６４の紛失を回避できる。
【００６０】
なお、本発明を実施の形態を用いて説明したが、本発明の技術的範囲は、上述した実施の形態に記載の範囲には限定されることはない。本発明の趣旨を逸脱しない範囲で、上述した実施の形態に、多様な変更または改良を加えることが可能である。
【００６１】
例えば、上述した実施の形態では、射出口６２ａをステープルマガジン本体６２の側壁部６２ｃの一部を用いて構成したが、これに限定されることはない。例えば、側壁部６２ｃに別部材を溶接で一体化することで射出口６２ａを形成するようにしても良いし、側壁部６２ｃに別部材をねじ等の締結部材で締結させることで射出口６２ａを形成するようにしても良い。
【符号の説明】
【００６２】
１０  クリンチャアーム
１４  ロック部材（被ロック部）
１４ａ  ロック溝（被ロック部）
４０  結束機本体
６０  ステープルマガジン部（マガジン部）
６２  ステープルマガジン本体
６２ａ  射出口
６２ｅ  装填口
６４  プッシャユニット
６６  カバー部材
７２  つまみ（ロック部）
７２ａ  山型部（ロック部）
１００  園芸用結束機
３００  結束物（被結束物）
ＴＰ  テープ
【図１】
0006702008.tif 000002
【図２】
0006702008.tif 000003
【図３】
0006702008.tif 000004
【図４】
0006702008.tif 000005
【図５】
0006702008.tif 000006
【図６】
0006702008.tif 000007
【図７】
0006702008.tif 000008
【図８】
0006702008.tif 000009
【図９】
0006702008.tif 000010
【図１０】
0006702008.tif 000011
【図１１】
0006702008.tif 000012
【図１２】
0006702008.tif 000013